(57)【要約】【課題】    ダム又は堰などに設置され、魚類を主に遡上のために通過させる魚道において、この魚道を通過する魚類を鳥類の捕食から防ぎ、安全な遡上を可能にする。【解決手段】  捕食のために飛来した鳥類Ｂが魚道１内又はその近傍に着地したときに鳥類Ｂの翼又は体が接触するように、撚り糸、テグス、凧糸、ガラス繊維、ひも、綱、ロープ、ワイヤ、金属糸、簡便性等を考慮すると合成樹脂製等の可撓性紐体３を魚道１の上方に複数張設する。【選択図】  図７
2006158277.tif 000002
【特許請求の範囲】
【請求項１】
魚類（Ｆ）を通過させるために設置された魚道（１）における防鳥装置であって、
捕食のために飛来した鳥類（Ｂ）が魚道（１）内又はその近傍に着地したときに鳥類（Ｂ）の翼又は体が接触するように可撓性紐体（３）を前記魚道（１）の上方に複数張設した、ことを特徴とする魚道における防鳥装置。
【請求項２】
魚道（１）の上流側に設けた上流側支持部材（１０、２０、５０）と、下流側に設けた下流側支持部材（１１、２１、５１）との間に複数の可撓性紐体（３）を張設した、ことを特徴とする請求項１に記載の魚道における防鳥装置。
【請求項３】
魚道（１）の河川（Ｒ）に接続する流出口（１out）の上方に設けた前記下流側支持部材（２１）を昇降可能にする昇降手段（２２）を設けた、ことを特徴とする請求項２に記載の魚道における防鳥装置。
【請求項４】
魚道（１）の幅方向に複数並んで張設された可撓性紐体（３）のうち少なくとも１本を、魚道（１）を構成する側壁（２）の上方に配置した、ことを特徴とする請求項２又は請求項３に記載の魚道における防鳥装置。
【請求項５】
魚道（１）を構成する側壁（２）の上面とその上方に張設した可撓性紐体（３）との間隔を、魚類（Ｆ）を捕食する鳥類（Ｂ）のうち対象鳥類の全高より小さくして、鳥類（Ｂ）が前記側壁に止まれないようにした、ことを特徴とする請求項４に記載の魚道における防鳥装置。
【請求項６】
魚類（Ｆ）を捕食する鳥類（Ｂ）が翼を広げた長さのほぼ半分の間隔で前記複数の可撓性紐体（３）を張設した、ことを特徴とする請求項１乃至請求項５のいずれかに記載の魚道における防鳥装置。
【請求項７】
下流側支持部材（１１）又は上流側支持部材（２０）は、張設した可撓性紐体（３、３′）を引っ掛ける引掛用棒部材（１２）と、可撓性紐体（３、３′）に張力を付加するウェイト用棒部材（１３）とを有し、前記可撓性紐体（３）の端部をウェイト用棒部材（１３）に繋結するとともに、可撓性紐体（３）のウェイト用棒部材（１３）近傍の位置を引掛用棒部材（１２）に掛けることによりウェイト用棒部材（１３）を吊り下げ状に設けた、ことを特徴とする請求項２乃至請求項６のいずれかに記載の魚道における防鳥装置。
【請求項８】
ウェイト用棒部材（１３）を引掛用棒部材（１２）に弾力性部材（１４）を介して吊り下げた、ことを特徴とする請求項７に記載の魚道における防鳥装置。
【請求項９】
引掛用棒部材（１２）に可撓性紐体（３）が並列方向にずれるのを防止するずれ防止手段（１５）を設けた、ことを特徴とする請求項７又は請求項８に記載の魚道における防鳥装置。
【請求項１０】
ずれ防止手段（１５）は、可撓性紐体（３）を引掛用棒部材（１２）に対して１周以上巻き付けた構造である、ことを特徴とする請求項９に記載の魚道における防鳥装置。
【請求項１１】
前記ずれ防止手段（１５）は、引掛用棒部材（１２）に回転自在に支持されたずれ防止部材（４０）であり、該ずれ防止部材（４０）には外周面に可撓性紐体（３）が嵌合するＶ溝（４１）が形成された、ことを特徴とする請求項９に記載の魚道における防鳥装置。
【発明の詳細な説明】
【技術分野】
【０００１】
本発明は、ダム又は堰などに設置される魚類を通過させるための魚道において、この魚道を通過する魚類を鳥類の捕食から防いで、安全な通過を可能にする魚道における防鳥装置に関するものである。
【背景技術】
【０００２】
湛水池を形成するために河川を横断して設置されるダム又は堰などの構造物は、河川水の自然な流下を分断又は阻害するため、河川に棲息する魚類にとっては、その移動を困難又は不可能にする障害物となる。そのため、これらの構造物には魚類を通過させるＵ字溝からなる魚道が設けられる。ダム又は堰等に設置される一般的な魚道としては、階段式水路の魚道がある。
ところが、このような魚道は狭い流路を魚類が主に遡上するために通過するときに、鳥類にとっては恰好の餌場となっており、魚類が捕食されることが多かった。
そこで、特許文献１の特開２００４−６８５７１「魚類遡上構造及びそれに用いる水路部材」には、鳥類の捕食から魚類を守るため、魚道の上側を覆う防止ネットを設けた技術が提案されている。
この特許文献１には、魚道を構成する水路部材に支持枠を取り付け、該支持枠を介して魚道の上側を覆うように防止ネットを取り付けたものが開示されている。これにより、魚道を遡上する魚類の鳥類による捕食を防止し、遡上する魚類の安全が確保される。
【特許文献１】特開２００４−６８５７１公報
【発明の開示】
【発明が解決しようとする課題】
【０００３】
しかし、上記特許文献１に記載の発明は、魚道を構成する水路部材の上縁に逆Ｕ字状をした複数の支持枠を取り付け、かつ、これら支持枠に防止ネットを被せるものであり、その施工に多大な手間及びコストがかかるという問題があった。
【０００４】
本発明は上記問題点を解決するためになされたもので、その目的は、簡単な構造で、既存の魚道に容易に取り付けることができ、かつ、魚類を鳥類の捕食から有効に保護することができる魚道における防鳥装置を提供することにある。
【課題を解決するための手段】
【０００５】
本発明は、鳥類が着地或いは羽ばたこうとするときに、翼や体が何かにさわることを嫌う性質に着目して創案されたものである。
上記問題を解決するため、請求項１に記載の魚道における防鳥装置は、魚類（Ｆ）を通過させるために設置された魚道（１）における防鳥装置であって、捕食のために飛来した鳥類（Ｂ）が魚道（１）内又はその近傍に着地したときに鳥類（Ｂ）の翼又は体が接触するように可撓性紐体（３）を前記魚道（１）の上方に複数張設した、ことを特徴とする。
【０００６】
請求項２に記載の魚道（１）における防鳥装置は、魚道（１）の上流側に設けた上流側支持部材（１０、２０、５０）と、下流側に設けた下流側支持部材（１１、２１、５１）との間に複数の可撓性紐体（３）を張設した、ことを特徴とする。
【０００７】
請求項３に記載の魚道（１）における防鳥装置は、魚道（１）の河川（Ｒ）に接続する流出口（１out）の上方に設けた前記下流側支持部材（２１）を昇降可能にする昇降手段（２２）を設けた、ことを特徴とする。
【０００８】
請求項４に記載の魚道（１）における防鳥装置は、魚道（１）の幅方向に複数並んで張設された可撓性紐体（３）のうち少なくとも１本を、魚道（１）を構成する側壁（２）の上方に配置した、ことを特徴とする。
【０００９】
請求項５に記載の魚道（１）における防鳥装置は、魚道（１）を構成する側壁（２）の上面とその上方に張設した可撓性紐体（３）との間隔を、魚類（Ｆ）を捕食する鳥類（Ｂ）のうち対象鳥類の全高より小さくして、鳥類（Ｂ）が前記側壁に止まれないようにした、ことを特徴とする。
【００１０】
請求項６に記載の魚道（１）における防鳥装置は、魚類（Ｆ）を捕食する鳥類（Ｂ）が翼を広げた長さのほぼ半分の間隔で前記複数の可撓性紐体（３）を張設した、ことを特徴とする。
【００１１】
請求項７に記載の魚道（１）における防鳥装置は、下流側支持部材（１１）又は上流側支持部材（２０）は、張設した可撓性紐体（３、３′）を引っ掛ける引掛用棒部材（１２）と、可撓性紐体（３、３′）に張力を付加するウェイト用棒部材（１３）とを有し、前記可撓性紐体（３）の端部をウェイト用棒部材（１３）に繋結するとともに、可撓性紐体（３）のウェイト用棒部材（１３）近傍の位置を引掛用棒部材（１２）に掛けることによりウェイト用棒部材（１３）を吊り下げ状に設けた、ことを特徴とする。
【００１２】
請求項８に記載の魚道（１）における防鳥装置は、ウェイト用棒部材（１３）を引掛用棒部材（１２）に弾力性部材（１４）を介して吊り下げた、ことを特徴とする。
【００１３】
請求項９に記載の魚道（１）における防鳥装置は、引掛用棒部材（１２）に可撓性紐体（３）が並列方向にずれるのを防止するずれ防止手段（１５）を設けた、ことを特徴とする。
【００１４】
請求項１０に記載の魚道（１）における防鳥装置は、ずれ防止手段（１５）は、可撓性紐体（３）を引掛用棒部材（１２）に対して１周以上巻き付けた構造である、ことを特徴とする。
【００１５】
請求項１１に記載の魚道（１）における防鳥装置は、前記ずれ防止手段（１５）は、引掛用棒部材（１２）に回転自在に支持されたずれ防止部材（４０）であり、該ずれ防止部材（４０）には外周面に可撓性紐体（３）が嵌合する溝（４１）が形成された、ことを特徴とする。
【発明の効果】
【００１６】
請求項１に記載の魚道（１）における防鳥装置によれば、可撓性紐体（３）を前記魚道（１）の上方に複数張設したので、捕食のために飛来した鳥類（Ｂ）は、魚道（１）又はその付近に着地しようとしても、可撓性紐体（３）に接触してしまうため、着地することができず、魚道（１）内を主に遡上のときに通過する魚類（Ｆ）を鳥類（Ｂ）の捕食から保護することができる。
【００１７】
請求項２に記載の魚道（１）における防鳥装置によれば、上流側支持部材（１０、２０、５０）と、下流側に設けた下流側支持部材（１１、２１、５１）との間に複数の可撓性紐体（３）を張設したので、簡単な構造にて、魚道（１）の長手方向に可撓性紐体（３）を張設することができ、これにより、可撓性紐体（３）の本数を少なくすることができるとともに、その端部を繋結する箇所が少なくて済み、作業性、メンテナンス性を向上することができる。
【００１８】
請求項３に記載の魚道（１）における防鳥装置によれば、下流側支持部材（２１）を昇降可能にする昇降手段（２２）を設けたので、ダム（Ｄ）の放水時に河川（Ｒ）の水位が上昇しても、下流側支持部材（２１）及び可撓性紐体（３）を浸水から防ぎ、河川（Ｒ）の流れによりこれらが流されることを防止するとともに、これらにゴミが付着することを防止することができる。
【００１９】
請求項４に記載の魚道（１）における防鳥装置によれば、可撓性紐体（３）を、魚道（１）を構成するＵ字溝の側壁（２）の上方に配置したので、飛来してきた鳥類（Ｂ）の側壁（２）上面への着地を有効に防止することができる。
【００２０】
請求項５に記載の魚道（１）における防鳥装置によれば、側壁（２）の上面と可撓性紐体（３）との間隔を、魚類（Ｆ）を捕食する鳥類（Ｂ）のうち最も小さなものの全高より小さくしたので、飛来してきた鳥類（Ｂ）が側壁（２）の上面に止まることを確実に防止することができる。
【００２１】
請求項６に記載の魚道（１）における防鳥装置によれば、魚類（Ｆ）を捕食する鳥類（Ｂ）が翼を広げた長さのほぼ半分の間隔で前記複数の可撓性紐体（３）を張設したので、少ない本数で鳥類（Ｂ）の魚道（１）内への着地を確実に阻止することができる。
【００２２】
請求項７に記載の魚道（１）における防鳥装置によれば、可撓性紐体（３）の端部をウェイト用棒部材（１３）に繋結するとともに、可撓性紐体（３）のウェイト用棒部材（１３）近傍の位置を引掛用棒部材（１２）に掛けることによりウェイト用棒部材（１３）を吊り下げ状に設けたので、ウェイト用棒部材（１３）で可撓性紐体（３）を引っ張ることにより、可撓性紐体（３）自体に延びが生じても、常時、可撓性紐体（３）に張力を付与することができ、複数の可撓性紐体（３）の間隔を一定に保つことができる。これにより、鳥類（Ｂ）の魚道（１）内への進入を有効に防止することができる。
【００２３】
請求項８に記載の魚道（１）における防鳥装置によれば、ウェイト用棒部材（１３）を引掛用棒部材（１２）に弾力性部材（１４）を介して吊り下げたので、可撓性紐体（３）には、弾力性部材（１４）の弾発力を差し引いた分のウェイト用棒部材（１３）の重量しかかからず、したがって、ウェイト用棒部材（１３）を重くしてこれを動きにくくし、可撓性紐体（３）のずれを防止するとともに、可撓性紐体（３）にかかる張力を少なくすることができる。これにより、可撓性紐体（３）の耐久性を向上させることができる。
【００２４】
請求項９に記載の魚道（１）における防鳥装置によれば、引掛用棒部材（１２）に可撓性紐体（３）が並列方向にずれるのを防止するずれ防止手段（１５）を設けたので、風などの自然現象や小動物の接触など予期せぬ事態から可撓性紐体（３）がずれるのを防止することができる。
【００２５】
請求項１０に記載の魚道（１）における防鳥装置によれば、可撓性紐体（３）を引掛用棒部材（１２）に対して１周以上巻き付けたので、簡単な構造、特に、引掛用棒部材（１２）などに加工を施すことなく、可撓性紐体（３）のずれを簡単に防止することができる。
【００２６】
請求項１１に記載の魚道（１）における防鳥装置によれば、引掛用棒部材（１２）に回転自在に支持されたずれ防止部材（４０）の外周面に可撓性紐体（３）が嵌合する溝（４１）を形成したので、可撓性紐体（３）の摩擦を防止し、摩耗による劣化を防止することができ、可撓性紐体（３）の耐久性を向上させることができる。
【発明を実施するための最良の形態】
【００２７】
本発明の魚道における防鳥装置は、魚道を主に遡上のために通過する魚類を鳥類の捕食から保護するという目的を、魚道の上方に可撓性紐体を張設することにより実現した。
【実施例１】
【００２８】
先ず、魚道の構造について図面を用いて説明する。図１は、河川Ｒを横切るように建設されたダムＤの下流側における河川Ｒ側面の斜面に設けられた魚道１を示す平面図であり、図２は河川側から見た魚道１の側面図である。
この実施例１は可撓性紐体３として田畑用に市販の防鳥糸３′を適用したものである。なお、この防鳥糸３′は魚道１内に鳥類Ｂが着地するのを防止するためのものである。また、この実施例１は可撓性紐体３を支持する支持部材として、建築現場で仮足場を構築するために用いられる単管を適用したものである。
【００２９】
魚道１は、ダムＤを貫通する取水路４に連設され、河川Ｒ側面の法面（のりめん：斜面）を斜めに下る上段魚道１Ｕと、該上段魚道１Ｕの下流側端部で折り返えされて斜めに下り、河川Ｒに流出する下段魚道１Ｄとから構成され、上段魚道１Ｕの取水路４が接続された箇所が魚道１の流入口１inとなっており、また、下段魚道１Ｄの河川Ｒに接続された箇所が魚道１の流出口１outとなっている。
なお、魚道１の詳細については省略するが、通常、幅が２ｍ程度の魚道１でその流路は階段状の堰を連ねて形成され、また、この堰は流れに対して直交し、この堰の頂部には長さが魚道１の幅の１／３くらいの小さな切欠部が堰の互い違いに千鳥状に配設されている。これにより、魚類Ｆはジグザグ状に流れる河水を遡上することができるようになっている。
【００３０】
次に、上段魚道１Ｕの上方に設けた防鳥糸３′の張設構造について説明する。
図１乃至図３に示すように、防鳥糸３′は全部で５本用意され、上段魚道１Ｕの上段魚道１Ｕの流入口１in上方に設けられた上流側支持部材１０と、下流側の折り返し部１Ｃの上方に設けられた下流側支持部材１１との間に張設される。
上流側支持部材１０には、いわゆる単管が用いられ、前記流入口１inにおいて魚道１を構成する側壁２の上端面から約５０cmの高さに水平に設置され、防鳥糸３′の一端が等間隔に繋結されている。上流側支持部材１０の設置は、ダムＤに適宜な手段により固設されている。また、上流側支持部材１０の設置には図示しない脚部を用い、該脚部を流入口１in近傍に設置するようにしても良いし、取水路４を構成するトンネル出口壁面に固設するようにしても良い。或いは、ダムＤに設けられた流入口１in上方の手すりなどを上流側支持部材１０として利用しても良い。
【００３１】
図４に示したように、下流側支持部材１１は、防鳥糸３′を引っ掛ける引掛用棒部材１２と、防鳥糸３′の先端が締結されこれに所定の張力を付与するウェイト用棒部材１３とから成り、ウェイト用棒部材１３は引掛用棒部材１２にゴムバンド１４′を介して吊り下げ状に設けられている。また、ウェイト用棒部材１３には防鳥糸３′の他端が繋結されており、ウェイト用棒部材１３は防鳥糸３′に張力を付与しつつ、ゴムバンド１４′を伸長させるようになっている。
なお、ウェイト用棒部材１３を引掛用棒部材１２に対して吊り下げ状にするために、この実施例１はゴムバンド１４′を用いたが、特にこれに限らず、弾力性部材１４、たとえば、コイルバネなどのようなものであっても良い。
引掛用棒部材１２は、上段魚道１Ｕの下流側端部である折り返し部１Ｃの上方においてその側壁２の上端面から約５０cmの高さに設置されている（図３参照）。引掛用棒部材１２の設置は図示しない脚部を有し、該脚部を折り返し部１Ｃ近傍に設置されている。
【００３２】
ゴムバンド１４′の使用により、防鳥糸３′には、ゴムバンド１４′の弾発力を差し引いた分のウェイト用棒部材１３の重量しか作用しない。
これは、ウェイト用棒部材１３の重量を重くしても、防鳥糸３′には大きな張力がかからず、防鳥糸３′を長持ちさせることができる。すなわち、ウェイト用棒部材１３の重量を軽くすると、風などの自然現象、或いは小動物などの接触によりウェイト用棒部材１３が容易に動いてしまい防鳥糸３′がずれてしまうという問題がある一方、ウェイト用棒部材１３を重くすると防鳥糸３′にかかる張力が大きくなりすぎ防鳥糸３′の耐久性を低下させてしまうという問題がある。
そこで、この実施例１のように、引掛用棒部材１２にゴムバンド１４′を介してウェイト用棒部材１３を吊り下げることにより、防鳥糸３′に過大な張力がかからず、かつ、防鳥糸３′が容易にずれないようにすることができる。
【００３３】
防鳥糸３′は引掛用棒部材１２にほぼ１周と１／４周巻回した後、下方に垂らしてウェイト用棒部材１３に繋結されている。防鳥糸３′を引掛用棒部材１２に対して１周と１／４周巻回したのは、防鳥糸３′が引掛用棒部材１２の軸方向にずれにくいようにするためであり、この構造は特許請求の範囲（請求項９）のずれ防止手段１５に相当する。これにより、防鳥糸３′は風などの自然現象、或いは小動物などの接触によっても容易にずれることがなく、並設された複数の防鳥糸３′は互いの間隔を一定に保つことができる。また、ずれ防止手段１５を特別な部材を用いることなく簡単にかつ安価に実現することができる。
【００３４】
防鳥糸３′としては、この実施例１のように防鳥糸（市販撚り糸）のほか、いわゆるテグス、凧糸、ガラス繊維、ひも、綱、ロープ、ワイヤ、金属糸などであっても良いが、簡便性等を考慮すると合成樹脂製のものが好ましい。なお、これに用いた防鳥糸３′は銀色の糸を撚り込んである。また、釣り糸は透明で光が当たるとキラキラ光り、鳥類Ｂはこのような光沢のあるものに対して警戒する習性があるため、最適である。
【００３５】
また、この実施例１において防鳥糸３′を支持する支持部材として単管を用いたので、安価に上述の支持部材を制作することができる。なお、本発明における支持部材は単管のような円筒パイプ状部材に限らず、断面形状が多角形のパイプ状のものでも良いし、或いはパイプ状に限らず中実な部材であっても良い。また、材質も単管のような鉄製に限らず、他の金属材料でも、合成樹脂材料であっても良い。なお、ウェイト用支持部材は、ある程度比重が高いものが好ましい。
【００３６】
図７に示したように、上段魚道１Ｕには、その約５０cm上方に５本の防鳥糸３′が５０cm間隔で張設され、そのうちの両端の防鳥糸３′が、上段魚道１Ｕを構成する側壁２の上方に位置する。防鳥糸３′の間隔及び魚道１からの高さをともに約５０cmにしたのは、魚類Ｆを捕食する鳥類Ｂにはサギ類（コウノトリ目サギ科）が多いためである。すなわち、サギの体長は６０〜９０cmくらい、翼を広げた長さが１００cmくらいであり、防鳥糸３′のピッチを５０cmくらいにしておけばサギ類の鳥類Ｂが飛来したときに、必ず、防鳥糸３′に接触させることができるためである。したがって、サギなどの鳥類Ｂが上段魚道１Ｕに着地しようとしても、また、上段魚道１Ｕの側壁２に止まろうとしても、必ず、防鳥糸３′に接触するため着地することができず、よって、上段魚道１Ｕを遡上する魚類Ｆがこれらに捕食されることもない。
【００３７】
次に、下段魚道１Ｄの上方に設けた防鳥糸３′の張設構造について図５及び図６を用いて説明する。この防鳥糸３′の張設構造が、上述した上段魚道１Ｕの張設構造と相違する点は、上流側支持部材２０として引掛用棒部材１２とウェイト用棒部材１３とを備えた点及び下流側支持部材２１として防鳥糸３′の一端が繋結された棒状部材でかつ該下流側支持部材２１が昇降手段２２により昇降自在に設置されている点である。したがって、下段魚道１Ｄの説明にあたっては上段魚道１Ｕと相違する部分について主に行い、他の部分については図面に同一符号を付してその説明は省略する。
【００３８】
下段魚道１Ｄの上流側支持部材２０は、上述のように、防鳥糸３′を引っ掛ける引掛用棒部材１２と、防鳥糸３′の先端が締結されこれに所定の張力を付与するウェイト用棒部材１３とから成り、ウェイト用棒部材１３は引掛用棒部材１２にゴムバンド１４′を介して吊り下げ状に設けられている。
そして、引掛用棒部材１２に防鳥糸３′を１周と１／４周巻回する点及びウェイト用棒部材１３に防鳥糸３′の一端を繋結している点などについては上段魚道１Ｕと同様である。なお、この下段魚道１Ｄの上流側支持部材２０の引掛用棒部材１２又はウェイト用棒部材１３と上記上段魚道１Ｕの下流側支持部材１１の引掛用棒部材１２又はウェイト用棒部材１３とを１本の長い棒部材として共通化することもできる。但し、ウェイト用棒部材１３を共通化した場合、上段魚道１Ｕにおける防鳥糸３′と下段魚道１Ｄにおける防鳥糸３′とで上側に引っ張るか下側に引っ張るかで相違し、上段魚道１Ｕ側と下段魚道１Ｄ側とで防鳥糸３′の張力が異なってしまうことになるので、ウェイト用棒部材１３については共通化しない方が好ましい。
【００３９】
下段魚道１Ｄの下流側支持部材２１は、防鳥糸３′の一端を繋結する棒状部材からなり、その両端に昇降手段２２としてのロープ２２′が繋結され、該ロープ２２′の他端は上方に位置するダムＤの手すり２３に繋結されている。これにより、下流側支持部材２１は手すり２３にロープ２２′を介して吊り下げ状に設置されて、かつ、下段魚道１Ｄの下流側において約５０cmの高さに支持される。そして、ロープ２２′はこれをダムＤの手すり２３側から手繰り寄せることにより、下流側支持部材２１を上昇させ、また、手繰り寄せたロープ２２′を元に戻すことにより下流側支持部材２１を下降させることができ、昇降手段２２として機能するようになっている。
なお、このような下流側支持部材２１を昇降させる昇降手段２２としては、自動化を図り、ダムＤの放流に連動させて下流側支持部材２１を上昇させたり、或いは、河川Ｒの水位を検出し、これをトリガーとして下流支持部材２１を上昇させるようにしても良い。
下流側支持部材２１を昇降手段２２としてのロープ２２′により支持し、適宜、昇降させることができるようにしたため、たとえば、ダムＤの放流時に下流側支持部材２１及び防鳥糸３′を浸水から防ぐことができる。すなわち、ダムＤの放流時に、河川Ｒの水位が上がる場合、予め、上記ロープ２２′を手繰り寄せて下流側支持部材２１を上方に待避させておくことで、下流側支持部材２１及び防鳥糸３′が浸水することない（図６参照）。これにより、ダムＤの放水時にこれらが河川Ｒに流されたり、或いはこれらにゴミなどが引っ掛かったりすることを防止することができる。
【００４０】
この実施例１の魚道１における防鳥装置にあっては、魚道１の長手方向に伸びるように複数の防鳥糸３′を並設したので、防鳥糸３′の１本当たりの長さは長くなるが、支持部材１０、１１、２０、２１を短くすることができ、かつ、これらとの繋結箇所を少なくできるので作業性、メンテナンス性を向上することができる。
【実施例２】
【００４１】
図８及び図９は実施例２の魚道１における防鳥装置を示し、魚道１の上方に張設した防鳥糸３′の張設構造を示す要部の斜視図である。
この実施例２は、防鳥糸３′の並設方向におけるずれを防止するずれ防止手段１５として、引掛用棒部材１２にＶ溝３２を掘削して形成したものである。
このように形成したＶ溝３２はその開口幅が防鳥糸３′の径よりもやや大きく、防鳥糸３′がほぼすっぽり嵌合する大きさに形成されている。これにより、防鳥糸３′はこれに並設方向の力が加わったときでも、容易にはＶ溝３２を乗り越えることができず、よって、ずれが防止される。なお、このような溝はＶ溝３２に限らず、凹溝であっても良いし、Ｕ溝であっても良い。要は防鳥糸３′が並設方向に移動しようとしたときに、これを阻止できるものであれば良い。また、Ｖ溝３２は引掛用棒部材１２に掘削したものに限らず、円環状に盛り上げた部分の頂部に溝を形成するようにしても良い。
しかして、この実施例２の魚道１における防鳥装置にあっては、簡単な構造にて確実に並設した防鳥糸３′のずれ防止を実現することができる。
【実施例３】
【００４２】
図１０及び図１１は実施例３の魚道１における防鳥装置を示し、魚道１の上方に張設した防鳥糸３′の張設構造を示す要部の斜視図である。
この実施例３は、防鳥糸３′の並設方向におけるずれを防止するずれ防止手段１５として、引掛用棒部材１２に回転自在に支持した円環状のずれ防止部材４０の外周面にＶ溝４１を形成したものである。
このＶ溝４１は、上述した実施例２のＶ溝３２と同様にその開口幅が防鳥糸３′の径よりも大きく、防鳥糸３′がほぼすっぽり嵌合する大きさに形成されている。
またこのようなずれ防止部材４０は引掛用棒部材１２に対しては回転自在であるが、その軸方向への移動を阻止するように引掛用棒部材１２には凸条４２，４２が形成され、これら凸条４２の間に回転自在に支持されている。
しかして、ずれ防止部材４０に引っ掛けられた防鳥糸３′が長さ方向に移動したとき、ずれ防止部材４０が引掛用棒部材１２に対して回転するため、防鳥糸３′とずれ防止部材４０との間で摩擦は生ぜず、よって、防鳥糸３′が摩耗されることを防止することができる。
【実施例４】
【００４３】
図１２は実施例４の魚道１における防鳥装置の基本的構成を示し、魚道１の上方に張設した防鳥糸３′の張設構造を示す要部の斜視図である。
この実施例４は、魚道１の上方に張設する防鳥糸３′の張設構造を極めて簡単にし、コスト低減を図るものである。
魚道１の上流側には１本の支持部材５０が設置され、下流側にも１本の支持部材５１が設置されており、これら上流側支持部材５０と下流側支持部材５１とに防鳥糸３′の端部がそれぞれ繋結されている。
これにより、防鳥糸３′を魚道１の上方にその長手方向に伸びるように張設することができ、上記実施例１と同様に鳥類Ｂの魚道１への着地を防止することができる。
また、防鳥糸３′を設置するにあたっては、上流側支持部材５０及び下流側支持部材５１だけが必要なものであり、よって、張設構造としてのコストを安価にすることができる。
なお、防鳥糸３′の各支持部材５０、５１への繋結にあたっては、防鳥糸３′がある程度緊張するように引っ張りながら行うことが鳥類が接触したときに受ける反動が生ずるとともに、糸と糸の接触や縺れ防止、美観についても有用である。
【００４４】
上記各実施例において、可撓性紐体を魚道の長手方向に張設したものについて説明したが、本発明はこれに限らず、魚道の長手方向に直交する方向或いは斜め方向に張設しても良い。
【００４５】
以上説明したように、本発明の魚道における防鳥装置によれば、サギ類などの鳥類が魚道に飛来し着地することを簡単な構造で防止することができ、魚道を遡上する魚類をこれらの捕食から有効に保護することができる。
なお、本発明の魚道の形状、可撓性紐体、その取付位置等は、発明の趣旨を逸脱しない範囲で適宜変更することができるのは勿論である。
【産業上の利用可能性】
【００４６】
上記各実施例では主としてダムを建設したときに併設される魚道を代表例として説明したが、本発明はダムに付随的に設置される魚道に限らず、魚類の遡上は勿論のこと川を下るときに通過させる魚道一般に適用することができる。
【図面の簡単な説明】
【００４７】
【図１】実施例１にかかる魚道における防鳥装置の全体の平面図である。
【図２】全体の側面図である。
【図３】上段魚道を示した側面図である。
【図４】上段魚道の下流側支持部材の構造を示す斜視図である。
【図５】下段魚道の防鳥装置を示した側面図であり、河川の水位が平常状態を示す。
【図６】下段魚道における防鳥装置を示した側面図であり、河川の水位が上昇した状態を示す。
【図７】魚道の縦断面図である。
【図８】実施例２の魚道における防鳥装置の下流側支持部材の構造を示す斜視図である。
【図９】実施例２の魚道における防鳥装置のずれ防止手段を示す正面図である。
【図１０】実施例３の魚道における防鳥装置の下流側支持部材の構造を示す斜視図である。
【図１１】実施例３の魚道における防鳥装置のずれ防止手段を拡大して示す正面図である。
【図１２】実施例４の魚道における防鳥装置の上流側支持部材及び下流側支持部材を一部を切り欠いて示す斜視図である。
【符号の説明】
【００４８】
Ｒ  河川
Ｄ  ダム
Ｆ  魚類
Ｂ  鳥類
１  魚道
１Ｕ  上段魚道
１in  流入口
１Ｄ  下段魚道
１out  流出口
１Ｃ  折り返し部
２  側壁
３  可撓性紐体
３′  防鳥糸
４  取水路（ダム）
１０  上流側支持部材
１１  下流側支持部材
１２  引掛用棒部材
１３  ウェイト用棒部材
１４  弾力性部材
１４′ゴムバンド
１５  ずれ防止手段
２０  上流側支持部材
２１  下流側支持部材
２２  昇降手段
２２′ロープ
２３  手すり
１２  引掛用棒部材
１３  ウェイト用棒部材
３２  Ｖ溝
４０  ずれ防止部材
４１  Ｖ溝
４２  凸条
５０  上流側支持部材
５１  下流側支持部材
【図１】
2006158277.tif 000003
【図２】
2006158277.tif 000004
【図３】
2006158277.tif 000005
【図４】
2006158277.tif 000006
【図５】
2006158277.tif 000007
【図６】
2006158277.tif 000008
【図７】
2006158277.tif 000009
【図８】
2006158277.tif 000010
【図９】
2006158277.tif 000011
【図１０】
2006158277.tif 000012
【図１１】
2006158277.tif 000013
【図１２】
2006158277.tif 000014